(57)【要約】      （修正有）【課題】ファイバードラムのハンドリング時にドラム底面が破壊されることがなく、またドラム使用後の廃棄の際に、ドラム素材を金属部材と紙部材に容易に分離することができるファイバードラムを提供する。【解決手段】紙製筒状本体１の下端部周縁を内側に折り曲げて折曲部を形成し、その折曲部の上に、紙製面材からなる底板２を糊接着により一体的に接合して本体下面を封止してなるファイバードラムにおいて、ドラムの底板２よりも少々大径の底部補強板８を前記底板２に対し脱着可能ロックバンド７により結合状態に緊締、保持することで、ドラム底部を強化する。【選択図】図５
0003151911.tif 000002
【実用新案登録請求の範囲】
【請求項１】
紙製筒状本体1の下端部周縁を内側に折り曲げて折曲部３を形成し、その折曲部の上に、紙製面材からなる底板２を糊接着により一体的に接合して本体下面を封止してなるファイバードラムにおいて、
ドラムの底板２よりも少々大径の底部補強板８を前記底板２に対し脱着可能ロックバンド７により結合状態に緊締、保持することで、ドラム底部を強化したことを特徴とする分離型ファイバードラム。
【請求項２】
前記ファイバードラムの底部補強板８は、２層以上の多層の段ボールからなる強化段ボール製であることを特徴とする請求項１に記載の分離型ファイバードラム。
【請求項３】
前記ファイバードラムの底部補強板８は、金属製以外の合板または繊維板などの木製また繊維材料製からなることを特徴とする請求項１に記載の分離型ファイバードラム。
【請求項４】
前記底部補強板８を前記底板２に取り付けるロックバンド７は、前記紙製筒状本体の底部に外側から巻き付けることができる周長を有した環状に形成され、環状バンドの一部が切断されて縮径可能に構成されていると共に開錠可能なレバー式締付け手段９をそのバンドに有していることを特徴とする請求項１〜３のいずれか一項に記載の分離型ファイバードラム。
【考案の詳細な説明】
【技術分野】
【０００１】
この考案は、例えば液体食品などを輸送する紙製容器として使用できるファイバードラムに関するもので、特に、ドラムの底部を強化し、かつリサイクルが容易な分離型ファイバードラムに関するものである。
【背景技術】
【０００２】
ファイバードラムは、クラフト紙を複数枚積層して形成された紙製円筒状の容器である。この容器は、容器本体を構成する紙製筒状胴部の下面に、円盤状の底板を一体的に接合し、また胴部の上端開口を閉じる蓋を取付けたものであり、食品、医薬品、各種樹脂粉末、液体等を輸送する容器として幅広く使用されている（例えば下記特許文献１〜２参照）。
このファイバードラムは、金属をまったく使わない「オール・ファイバードラム」と、蓋、留め金、胴の一部に金属を使用した「ファイバードラム」とに大別される。
「ファイバードラム」はＪＩＳのような標準化された規格はない。しかし、業界で有力な本州リーム社の基準によれば、形式、用途別に前者はＦ型、Ｌ型、Ｒ型等の名称がそれぞれに付され、後者はＸ型の名称が付けられている。
【０００３】
オール・ファイバードラムは特許文献２に示されるように、胴部と底部材料がすべて紙より形成されているので焼却や廃棄などの後処理が容易であり、廃棄する場合にはドラムをそのままつぶして古紙としてリサイクル（再資源化）が可能である。
一方、特許文献３の図３、図４に示されるように、紙製胴部とその胴部の端を閉鎖する金属製の蓋体と、胴部の上下端部を金属の補強リングでカシメ成形しているものでは、その使用後の解体と廃棄処理が非常に面倒である。すなわちファイバードラムを廃棄する場合、ドラム胴部を切り取って、端部のリテーナーリングと蓋体のロックリング及び金属製の蓋をリサイクルするために、紙と金属に分別するため分解しなければならないが、それらの分解が非常に困難である。
【０００４】
素材が簡単に分離でき、リサイクルが容易なファイバードラムの例が、特許文献４に示されている。このファイバードラムは、紙製胴体に対し、プレス加工したスチール製または樹脂製の上蓋及び下蓋をはめ込式で取りつけ、その外側にリング状バンドを装着し、蓋の周縁部及びドラム本体をそのバンドで締め付けて各蓋をドラム本体に固定するようにしたものである。
このドラムは、バンドのクランプを解除すると、上蓋及び下蓋が胴体から分離できるので、紙のみで製造された胴本体と、スチールや樹脂などで形成した蓋とバンドとが簡単に分離できるから、紙と金属に分別回収が容易であるという利点を有する。
【先行技術文献】
【特許文献】
【０００５】
【特許文献１】特開２００７−２２５６４号公報
【特許文献２】特開２００３−２４６３１３号公報
【特許文献３】特開２００４−１８２２６８号公報（図３、図４）
【特許文献４】特開平７−６１４３８号公報
【考案の概要】
【考案が解決しようとする課題】
【０００６】
特許文献４に示されるファイバードラムは、上述したように紙製胴体に対し上蓋と下蓋を嵌め込み、外側から締め付けバンドを用いて固定しているので、リサイクル時に素材ごとの分離が容易である。しかし反面、液体や粉体などの重量物の容器として使用するとき、下蓋は胴本体に一体に接合されていないので大きな重量がかかると下蓋が外れやすく、荷役時の底強度が十分といえない。またその下蓋は金属製であり、紙製でないので、ドラムの軽量化という点でも満足できるものとはいえない。
【０００７】
また、例えば本明細書の図３に示すような紙製胴体の下縁部を内側に直角に折り曲げ、そこに紙からなる円盤状の底板を接着剤で一体的に接合してなるファイバードラムにあっては、ドラム内部に重量物を入れてハンドリングすると、底部が破壊変形しやすいという不具合が報告されている。すなわち、内部に合成樹脂の袋に入れた液体又は粉体などの重量物を入れたファイバードラムをパレットに載せて、図７のように工場などに輸送した後、ドラムをパレットから移動させるとき、ドラムをパレットから落下させたり、図８のようにドラムを廻しながら移動させるときに、底に無理な荷重がかかりドラム底が破れるという問題があった。
【０００８】
本考案は、従来のものの上記不具合に着目し、紙製胴体に対し紙製底が接着により一体に接合されているファイバードラムにおいて、ドラム底には底部強化のために紙や合板からなる底部補強板を脱着可能ロックバンドにより保持をすることでドラム底面が破壊されることがないようにし、かつファイバードラム使用後の廃棄の際に、ドラム素材を金属部材と紙部材に容易に分離することができるファイバードラムを提供することを目的とする。
【課題を解決するための手段】
【０００９】
前記した目的を達成するために、本考案が提案する解決手段は、下記のとおりである。
（１）  請求項１にかかる考案は、紙製筒状本体の下端部周縁を内側に折り曲げて折曲部を形成し、その折曲部の上に、紙製面材からなる底板を糊接着により一体的に接合して本体下面を封止してなるファイバードラムにおいて、
ドラムの底板よりも少々大径の底部補強板を前記底板に対し脱着可能な補強ロックバンドにより結合状態に緊締、保持することでドラム底部を強化したことを特徴とする。
（２）  請求項２にかかる考案は、前記ファイバードラムの底部補強板は、２層以上の多層の段ボールからなる強化段ボール製であることを特徴とする。
（３）  請求項３にかかる考案は、前記ファイバードラムの底部補強板は、金属製以外の合板または繊維板などの木製または繊維材料製からなることを特徴とする。
（４）  請求項４にかかる考案は、前記底部補強板を前記底板に取り付ける補強ロックバンドは、前記紙製筒状本体の外側から巻き付けることができる周長を有した環状に形成され、環状バンドの一部が切断されて縮径可能に構成されていると共に、開錠可能なレバー式締付け手段をそのバンドの端部に有していることを特徴とする。
【考案の効果】
【００１０】
本考案のファイバードラムは、胴体と底板が紙製であって、底板を金属以外の段ボールや合板または繊維板で補強されているだけなので、軽量であり、内部に液体又は粉体などの重量物を入れた場合でも、ドラムはその使用時に底抜けすることがなく、ファイバードラム使用後の廃棄の際に、ファイバードラム胴部と上下蓋部材料のすべてを金属部材と紙部材などに容易に分離することができる利点がある。
【図面の簡単な説明】
【００１１】
【図１】本考案にかかわるファイバードラム本体を表している斜視図である。
【図２】ファイバードラムの胴本体１の下部の構成を示す分解斜視図である。
【図３】同じく説明図である。
【図４】本考案の改良されたファイバードラムの底部構造を簡略化して示した説明図である。
【図５】（ａ）はバンドを縮径することでドラムの胴本体１の底部からずり落ちないように取り付けた説明図である。（ｂ）はバンド本体の断面図である。
【図６】（ａ）はレバーが開いた状態を示すバンド本体の斜視図である。（ｂ）はその部分拡大図である。
【図７】ドラムをパレットに載せた状態を示す斜視図である。
【図８】ドラムを移動させるときの説明図である。
【考案を実施するための形態】
【００１２】
図1は、本考案にかかわるファイバードラム本体を表している。この実施例のファイバードラムは、従来のファイバードラムと同様にクラフト紙からなる円筒状の胴本体１と、胴本体1の下端に設けた紙製の底板２とから構成されている。
このファイバードラムの胴本体１の下端部は、図２のように内方に向けて折り曲げて折曲部３を形成し、その折曲部の上に、板紙からなる底板２を一体に接合して本体下面を封止する。４は化粧紙又は下底板で、折曲部２と底板２の外側より糊接着により接合されている（図３）。
胴本体１の上端部は、外側にカーリングされてカーリング部５が形成されている。このような本体1のカーリング部５には従来のものと同様に、上蓋６をかぶせ、ロックリング（図省略）等を嵌着して上部開口を閉じて使用する。
【００１３】
図４は、本考案の改良されたファイバードラムの底部構造を簡略化して示した説明図である。図のように、ドラムの底板２、４の下に底板よりも少々大径の底部補強板８を脱着できる締め具や脱着できる補強ロックバンド７を使用することにより底板２と４に対し結合状態に保持をすることで底部の強度を強化するのである。
【００１４】
この実施例の底部補強板８は、ドラムの底板２よりも大径として、その周縁部が底板の外側に５ｍｍ程度突出した円板状に形成する。そして、ドラム底部に接着により取り付け、さらに脱着可能な締め具（又は補強ロックバンド）７により図４に示すように前記ドラム本体の底部に結合状態に緊締、保持をする。
【００１５】
底部補強板８として使用する素材は、強化段ボール板が軽量で高剛性の構造体であるから好適である。なかでも、２層以上多層の段ボール積層体である強化段ボール板を使用することが好ましい。紙以外のものとしては、木製の合板または繊維板などの金属以外の材料からなるものが使用できる。
【００１６】
この実施例の底部補強板８は、原紙としてＡフルートを２枚積層した強化段ボール板（厚み１０ｍｍ）が使用されている。このような強化段ボール板としては、例えば王子インターパック株式会社より、「ハイプルエース」として市販されている。
【００１７】
補強ロックバンド７は、一例としてスチール製であるが樹脂でもよい。このバンド７は、図６（ａ）（ｂ）のようにドラムの胴本体１の底部に外側から巻き付けることができる周長を有した環状（リング状）に形成され、環状バンドの一部が切断されて縮径可能に構成されていると共に、開錠可能なレバー式締付け手段をその本体に有している。
なお図５（ｂ）は、バンド本体７の断面図である。
この補強ロックバンド７は、断面が略コ型の嵌合部７ａに底部補強板８をはめ込み固定する。そして嵌合部７ａの一片から垂直に立ち上がった固着部７ｂと嵌合部７ａの一片から水平に延びる抱込部７ｃとを有するので強度が高く、バンド７をレバー９で縮径することで図５（ａ）のように締め付け、ドラムの胴本体１の底部からずり落ちないようにすることができる。
図６（ａ）はレバー９が開いた状態を示すバンドの斜視図である。図６（ｂ）のように、この補強ロックバンド７はレバー９に形成した封印穴10に止めつめ（図略）を挿入することで、封印するように構成されている。
【符号の説明】
【００１８】
１  ドラム胴本体
２  底板
３  折曲部
４  化粧紙（下底板）
５  カーリング部
６  上蓋
７  補強ロックバンド
８  底部補強板（強化段ボール板）
９  レバー
【図１】
0003151911.tif 000003
【図２】
0003151911.tif 000004
【図３】
0003151911.tif 000005
【図４】
0003151911.tif 000006
【図５】
0003151911.tif 000007
【図６】
0003151911.tif 000008
【図７】
0003151911.tif 000009
【図８】
0003151911.tif 000010